(57)【要約】      （修正有）【課題】ギターのボディを胴体側方に配置し、ネックを胴体前方から突出するように、ギターを支持することができる、ギター支持具を提供する。【解決手段】このギター支持具１０は、ボディ２及びネック３を有するギター１を座って演奏する際に支持するためのものであって、ボディ２に対して、吸盤を介して着脱可能に取付けられる取付部と、該取付部に連結されると共に、ボディ２がギター奏者１００の胴体１０１の側方に配置され、かつ、ネック３が胴体１０１の前方から突出するように配置された状態で、ギター奏者１００の大腿部１０３に係止してボディ２を支持する支持部３０とを有する。【選択図】図１
0003218181.tif 000002
【実用新案登録請求の範囲】
【請求項１】
ボディ及びネックを有するギターを座って演奏する際に支持するための、ギター支持具であって、
前記ボディに対して、吸盤を介して着脱可能に取付けられる取付部と、
該取付部に連結されると共に、前記ボディがギター奏者の胴体の側方に配置され、かつ、前記ネックが前記胴体の前方から突出するように配置された状態で、前記ギター奏者の大腿部に係止して前記ボディを支持する支持部とを有することを特徴とする、ギター支持具。
【請求項２】
前記支持部の先端部が、前記ボディの側部から突出するように、前記取付部が、前記ボディの背面側であって、かつ、前記ネックの近傍に取付けられるように構成されている、請求項１記載のギター支持具。
【請求項３】
前記支持部は所定長さで延びており、その基端部が回動部を介して前記取付部に回動可能に連結されており、先端部が円弧状に屈曲した形状をなしている、請求項１又は２記載のギター支持具。
【請求項４】
前記支持部の先端部の両側部は、その外面が曲面状をなしている、請求項３記載のギター支持具。
【考案の詳細な説明】
【技術分野】
【０００１】
本発明は、ギターを座って演奏する際に用いられる、ギター支持具に関する。
【背景技術】
【０００２】
ギターを座って演奏する際に、ギターをどのように支持するかについては、ギター奏者によって様々である。例えば、一方の足の太もも上に、他方の足の太ももやすねを乗せるように、足を組んで椅子に座って、一方の足の太もも上に、ギターのボディのくびれ部分を乗せて、ギターのボディやネックを胴体の前方に配置して、ギターを胴体の前方で抱え込むように支持することがある。或いは、両足を大きく開いて椅子に座り、一方の足の太もも上に、ギターボディのくびれ部分を乗せて、ギターのボディやネックを胴体の前方に配置して、ギターを胴体の前方で抱え込むように支持することもある。
【０００３】
しかし、上記のようなギター支持方法では、ギター奏者によっては、ギターを長時間支持するのが辛い場合があり、ギターを落としてしまうことがあった。そのため、ギターの脱落を防止しつつ、ギターを支持しやすくするための、ギター支持具（ギターレスト等ともいう）が種々考案されている。
【０００４】
例えば、下記特許文献１には、吸着部を介してギターに吸着固定される楽器胴部ベースと、この楽器胴部ベースに可動部を介して開閉可能に取付けられたフラップと、楽器胴部ベース及びフラップの間に設けられ、奏者の太もも上に載置される被載置ベルトとを備えた、ギター用支持具が記載されている。
【先行技術文献】
【特許文献】
【０００５】
【特許文献１】特開２０１６−９９４１４号公報
【考案の概要】
【考案が解決しようとする課題】
【０００６】
上述したように、ギターを座って演奏する際には、ギターのボディやネックを胴体前方に配置し、ギターを胴体前方で抱え込むように支持して演奏することが多いが、ギター奏者によっては、ギターのボディを胴体側方に配置し、ネックを胴体前方から突出するように、すなわち、ギターを小脇に抱え込むようにして演奏したい場合がある。しかしながら、上記特許文献１記載のギター用支持具では、このような支持方法に対応することができない。
【０００７】
したがって、本考案の目的は、ギターのボディを胴体側方に配置し、ネックを胴体前方から突出するような姿勢で、ギターの脱落を防止しつつギターを支持することができる、ギター支持具を提供することにある。
【課題を解決するための手段】
【０００８】
上記目的を達成するため、本考案は、ボディ及びネックを有するギターを座って演奏する際に支持するための、ギター支持具であって、前記ボディに対して、吸盤を介して着脱可能に取付けられる取付部と、該取付部に連結されると共に、前記ボディがギター奏者の胴体の側方に配置され、かつ、前記ネックが前記胴体の前方から突出するように配置された状態で、前記ギター奏者の大腿部に係止して前記ボディを支持する支持部とを有することを特徴とする。
【０００９】
上記考案によれば、ギターのボディがギター奏者の胴体の側方に配置され、かつ、ネックが胴体の前方から突出するように配置された状態で、大腿部（ふともも）に支持部が係止してボディを支持するので、ボディの脱落を防止しつつ、ギターを小脇に抱え込むような演奏方法に柔軟に対応して、ギター奏者の演奏の幅を広げることができる。また、取付部が、吸盤を介して着脱可能に取付けられているので、ギター支持具を必要な時にボディに取付けて、不要なときはボディから取外すことができ、利便性を向上させることができる。
【００１０】
本考案のギター支持具においては、前記支持部の先端部が、前記ボディの側部から突出するように、前記取付部が、前記ボディの背面側であって、かつ、前記ネックの近傍に取付けられるように構成されていることが好ましい。
【００１１】
この態様によれば、取付部は、ボディの背面側であって、かつ、ネックの近傍に取付けられるので、ボディを重心に近い位置で支持することができ、ギターを安定して保持することができ、演奏しやすくすることができる。
【００１２】
本考案のギター支持具においては、前記支持部は所定長さで延びており、その基端部が回動部を介して前記取付部に回動可能に連結されており、先端部が円弧状に屈曲した形状をなしていることが好ましい。
【００１３】
この態様によれば、支持部の基端部が回動部を介して取付部に回動可能に連結されているので、回動部を介して取付部に対して支持部を回動することで、支持部の、ギター奏者の大腿部に対する係止状態を適宜変化させることができ、ギター奏者の体型に合わせて柔軟に対応することができる。また、先端部が円弧状に屈曲した形状をなしているので、ギター奏者の大腿部に支持部の先端部が係止しても、痛みや違和感を感じにくくさせることができる。
【００１４】
本考案のギター支持具においては、前記支持部の先端部の両側部は、その外面が曲面状をなしていることが好ましい。この態様によれば、支持部の先端部の両側部は、その外面が曲面状をなしているので、ギター奏者の大腿部に支持部の先端部の両側部が当接した場合に、痛みや違和感を感じにくくさせることができると共に、支持部の先端部の、大腿部に対する係止面積を広げて、より安定して係止させることができる。
【考案の効果】
【００１５】
本考案によれば、ギターのボディがギター奏者の胴体の側方に配置され、かつ、ネックが胴体の前方から突出するように配置された状態で、大腿部に支持部が係止してボディを支持するので、ボディの脱落を防止しつつ、ギターを小脇に抱え込むような演奏方法に柔軟に対応して、ギター奏者の演奏の幅を広げることができると共に、取付部が、吸盤を介して着脱可能に取付けられているので、ギター支持具を必要な時にボディに取付けて、不要なときはボディから取外すことができ、利便性を向上させることができる。
【図面の簡単な説明】
【００１６】
【図１】本発明に係るギター支持具の一実施形態を示しており、同ギター支持具を用いてギターを支持した場合の、正面図である。
【図２】図２Ａは、同ギター支持具をギターに取付ける前の状態の斜視図、図２Ｂは、同ギター支持具をギターに取付けた状態の斜視図である。
【図３】図３Ａは、同ギター支持具の側面図、図３Ｂは、同ギター支持具の正面図である。
【図４】同ギター支持具を用いてギターを支持した場合の、側面図である。
【考案を実施するための形態】
【００１７】
以下、図１〜４を参照して、本考案に係るギター支持具の、一実施形態について説明する。
【００１８】
図１や図４に示すように、このギター支持具１０は、ボディ２及びネック３を有するギター１を、椅子１１０等に座って演奏する際に、ギター１を支持するものである。
【００１９】
そして、図２や図３に示すように、このギター支持具１０は、ギター１のボディ２に対して、吸盤２１を介して着脱可能に取付けられる取付部２０と、この取付部２０に連結されると共に、ボディ２がギター奏者１００の胴体１０１の側方に配置され、かつ、ギター１のネック３が胴体１０１の前方から突出するように配置された状態（図１及び図４参照）で、ギター奏者１００の大腿部１０３に係止して、ボディ２を支持する支持部３０とを有ししている。
【００２０】
図３Ａや図３Ｂに示すように、この実施形態における前記取付部２０は、略円形台形状をなしており、その底面側に、ボディ２に吸着可能な、吸盤２１が設けられている。そのため、ボディ２に対して、取付部２０が着脱可能となっている。また、図２Ｂに示すように、この取付部２０は、支持部３０の先端部３５が、ボディ２の側部４から突出するように、ボディ２の背面５側であって、かつ、ネック３の近傍５ａに取付けられるように構成されている。
【００２１】
更に図３Ａに示すように、取付部２０の、吸盤２１を設けた底面とは反対側の天井面２３は、平坦面状をなしている。また、図３Ａに示すように、取付部２０の天井面２３からは、支軸２５が突設されている。なお、取付部としては、上記形状に限定されず、少なくとも吸盤を有し、ギター１のボディ２に着脱可能な構造であればよい。
【００２２】
一方、図３Ａに示すように、この実施形態における支持部３０は、所定長さで延び、かつ、屈曲した形状をなしており、その延出方向の先端部３５が、図１や図４に示すように、ボディ２がギター奏者１００の胴体１０１の側方に配置され、かつ、ネック３が胴体１０１の前方から突出するように配置された状態で、ギター奏者１００の大腿部１０３に係止するようになっている。
【００２３】
図３Ａに示すように、この実施形態の支持部３０は、所定長さで延びる略矩形状をなした基端部３１と、該基端部３１の延出方向一端から斜め外方に向けて延出し、前記基端部３１よりも幅狭の首部３３と、該首部３３の延出方向先端に設けられた、前記先端部３５とから構成されている。
【００２４】
また、図２に示すように、前記基端部３１は、取付部２０の支軸２５を受け入れ可能な二股部３２，３２を有すると共に、軸孔３１ａが形成されている。そして、基端部３１の二股部３２，３２の間に支軸２５を挿入すると共に、軸孔３１ａ及び支軸２５の先端部の図示しない軸孔に、回動軸４０を挿入することで、基端部３１が取付部２０に回動可能に連結されて、取付部２０に対して支持部３０が回動可能に軸支されるようになっている（図３Ａの二点鎖線参照）。
【００２５】
すなわち、この実施形態では、支軸２５と、その図示しない軸孔と、基端部３１の軸孔３１ａと、回動軸４０とが、本発明における「回動部」をなしている。なお、取付部と支持部との回動構造としては、特に限定されるものではない。
【００２６】
また、図３Ａに示すように、基端部３１の一側部からは、突起状をなした押圧部３７が突設されている。この押圧部３７は、取付部２０に対して支持部３０が縦向きに立ち上がった状態から、図３Ａの二点鎖線で示すように、取付部２０に対して支持部３０を横向きに倒すように回動させた場合に、取付部２０の天井面２３を押圧して、取付部２０に設けた吸盤２１を押し広げてギター１側に吸着させると共に、支持部３０の回動角度を規制する部分となっている。なお、上記のように、取付部２０に対して支持部３０を横向きに倒すように回動させた状態では、支持部３０の先端部３５が、取付部２０の外周面にほぼ整合した位置となって、ギター１のボディ２の側部４から、支持部３０の先端部３５が突出可能となる（図３Ａの二点鎖線参照）。
【００２７】
更に図３Ａに示すように、支持部３０の先端部３５は、その外周が円弧状に屈曲した形状をなしている。また、図３Ｂに示すように、先端部３５の幅方向（回動軸４０の軸方向に沿った方向）の両側部３９，３９は、支持部外方に向って突出した凸形状をなしていると共に、その外面が曲面状に形成されている。更に図３Ａに示すように、回動軸４０の軸方向から支持部３０を見たとき、支持部３０の先端部３５は、両側部３９を含めて、その全周が円形状を呈している。
【００２８】
ところで、上記実施形態においては、支持部３０は、首部３３が基端部３１に対して斜めに伸び、先端部３５の外周が円弧状に屈曲した形状をなしているが、支持部としては、このような形状に限定されるものではなく、例えば、直線状に延びる棒状をなしていたり、全体として湾曲するように延びていたり、図１や図４に示すように、ボディ２がギター奏者１００の胴体１０１の側方に配置され、かつ、ネック３が胴体１０１の前方から突出するように配置された状態で、ギター奏者１００の大腿部１０３に係止可能な形状であればよい。また、支持部の先端部の形状としては、例えば、先端部両側から、半円形状や、楕円形状等をなすように突出したり、円柱状に突出したりしてもよく、ギター奏者１００の大腿部１０３に係止した際に、痛みや違和感を感じにくい形状であることが好ましい。
【００２９】
更に、この実施形態において、吸盤２１を除く取付部２０や、支持部３０は、例えば、合成樹脂材料や、ステンレスや、Ａｌ、Ｔｉ、Ｍｇ等の金属材料、木材、更には、ゴムや、スポンジ、その他のクッション材料などで形成することができ、その材質は特に限定されるものではない。特に、ギター奏者１００の大腿部１０３に係止する部分である、支持部３０の先端部３５やその両側部３９，３９を、上記のような、ゴムや、スポンジ、クッション材料などで形成することが好ましい。また、この実施形態では、取付部２０と支持部３０とを別体で設けているが、取付部と支持部とを一体的に連結した構成（すなわち、取付部に対して支持部が回動しない構成）としてもよい。
【００３０】
次に上記構成からなる本考案に係るギター支持具１０の使用方法及びその作用効果について説明する。
【００３１】
まず、ギター１のボディ２に、吸盤２１を介して取付部２０を取付けて、ギター支持具１０をギター１に装着する。ここでは、図３Ａに示すように、取付部２０に対して支持部３０が縦向きに立ち上がった状態から、図３Ａの二点鎖線で示すように、取付部２０に対して支持部３０を横向きに倒すように回動させることで、支持部３０の押圧部３７が天井面２３を押圧して、吸盤２１が押し広げられてネック３の近傍５ａに吸着する。その結果、図２Ｂに示すように、ボディ２の背面５側であって、かつ、ネック３の近傍５ａに、取付部２０を吸盤２１を介して取付けられて、支持部３０の先端部３５がボディ２の側部４から突出するように、ギター１にギター支持具１０を装着することができる。
【００３２】
なお、上記のように、符号「５ａ」で示す取付部２０の取付箇所は、右利き用のギター１の場合に好適な位置であるが、左利き用のギターの場合には、その反対側、すなわち、ボディ２の背面５側であって、ネック３の近傍５ｂに取付けることが好ましい。
【００３３】
そして、図１や図４に示すように、例えば、ギター奏者１００が、左足の大腿部１０３上に右足の大腿部１０３を乗せるように、足を組んで椅子１１０に座った状態で、ギター１のボディ２を胴体１０１の側方に配置し、かつ、ネック３が胴体１０１の前方から突出するようにして、ギター１を小脇に抱え込む。すると、図１に示すように、ギター奏者１００の左足の大腿部１０３に、ギター支持具１０の支持部３０の先端部３５が係止するので、ギター奏者１００は、その姿勢でギター１を脱落させることなく支持することができる。したがって、ギター奏者１００としては、ギター１を小脇に抱え込むような姿勢で、ギターを演奏することができ、ギター奏者１００の演奏方法の幅を広げることができる。
【００３４】
また、ギター支持具１０は、その取付部２０が、吸盤２１を介して、ギター１のボディ２に着脱可能に取付けられているので、ギター支持具１０を必要な時にボディ２に取付けて利用することができる一方、不要なときはボディ２から取外すことができ、利便性を向上させることができる。例えば、ギター１をギターケースに収容したり、ギターハンガーに引っ掛けて保管したり、更には、ギター１を運搬したりする場合に、ギター支持具１０が邪魔とならない。
【００３５】
また、この実施形態では、図２Ｂに示すように、ギター支持具１０の支持部３０の先端部３５が、ギター１のボディ２の側部４から突出するように、取付部２０が、ボディ２の背面５側であって、かつ、ネック３の近傍５ａに取付けられるように構成されている。そのため、ギター１のボディ２を、ギター１の重心に近い位置で支持することができるので、ギター１を安定して保持することができ、演奏しやすくすることができる。
【００３６】
更に、この実施形態においては、図３Ａに示すように、ギター支持具１０の支持部３０の基端部３１が、回動部を介して取付部２０に回動可能に連結されている。そのため、回動部を介して取付部２０に対して、支持部３０を適宜回動することで、支持部３０の先端部３５の、ギター奏者１００の大腿部１０３に対する係止状態を適宜変化させることができ、ギター奏者１００の体型に合わせて柔軟に対応することができ、ギター奏者１００は、より安定してギター１を支持することができる。また、図３Ａに示すように、支持部３０の先端部３５の外周が、円弧状に屈曲した形状をなしているので、ギター奏者１００の大腿部１０３に、支持部３０の先端部３５が係止しても、痛みや違和感を感じにくくさせることができ、その結果、ギター１を演奏しやすくなり、また、長時間ギター１を演奏しても問題が生じにくい。
【００３７】
また、図３Ｂに示すように、ギター支持具１０の支持部３０の、先端部３５の幅方向の両側部３９，３９は、その外面が曲面状をなしている。そのため、ギター奏者１００の大腿部１０３に、支持部３０の先端部３５の両側部３９，３９が当接した場合に、痛みや違和感を感じにくくさせることができると共に、支持部３０の先端部３５の、大腿部１０３に対する係止面積を広げて、ギター１をより安定して係止させることができる。
【００３８】
なお、本発明は、上述した実施形態に限定されるものではなく、本発明の要旨の範囲内で、各種の変形実施形態が可能であり、そのような実施形態も本発明の範囲に含まれる。
【符号の説明】
【００３９】
１  ギター
２  ボディ
３  ネック
４  側部
５  背面
５ａ，５ｂ  近傍
１０  ギター支持具
２０  取付部
２１  吸盤
２３  天井面
２５  支軸
３０  支持部
３１  基端部
３１ａ  軸孔
３２，３２  二股部
３３  首部
３５  先端部
３７  押圧部
３９，３９  両側部
４０  回動軸
１００  ギター奏者
１０１  胴体
１０３  大腿部
１１０  椅子
【図１】
0003218181.tif 000003
【図２】
0003218181.tif 000004
【図３】
0003218181.tif 000005
【図４】
0003218181.tif 000006